(57)【要約】【課題】異なる複数の供給電圧を供給する場合に、一つの供給電圧が所望の電圧に達してから、他の供給電圧が所望の電圧に達するまでの時間を高精度に制御および予測できる電源装置を提供する。【解決手段】電源装置１は、電源投入指示を受けると、電圧制御部１１が供給電圧Ｖ２を電圧ＶＡ１）に立ち上げると共に、電圧制御部２４が供給電圧Ｖ３を基準電圧ＶＢ１より低い基準電圧ＶＢ＿ＳＴＢに立ち上げる。そして、供給電圧Ｖ２が電圧ＶＡ１に達すると、トリガー信号ＴＲＧが発生し、電圧制御部２４が供給電圧Ｖ３を、基準電圧ＶＢ＿ＳＴＢから基準電圧ＶＢ１に立ち上げる。【選択図】      図１
2004246441.tif 000002
【特許請求の範囲】
【請求項１】
第１の供給電圧および第２の供給電圧を供給する電源装置であって、
前記第１の供給電圧が第１の電圧に達すると、トリガーを発する第１の電源手段と、
前記第１の電源手段が前記トリガーを発するまで第２の電圧より低い第３の電圧の前記第２の供給電圧を供給し、前記第１の電源手段が前記トリガーを発すると、前記第２の供給電圧を前記第３の電圧から前記第２の電圧に上げる第２の電源手段と
を有する電源装置。
【請求項２】
前記第２の電源手段は、前記第２の供給電圧と基準電圧との差分を減少させるように前記第２の供給電圧を制御し、前記第１の電源手段が前記トリガーを発するまで前記基準電圧を前記第３の電圧に設定し、前記第１の電源手段が前記トリガーを発すると、前記基準電圧を前記第２の電圧に設定する
請求項１に記載の電源装置。
【請求項３】
前記第１の電源手段は、電源投入指示を受けると、前記第１の供給電圧を前記第１の電圧に上げ、
前記第２の電源手段は、電源投入指示を受けると、前記第２の供給電圧を前記第３の電圧に上げる
請求項１または請求項２に記載の電源装置。
【請求項４】
第１の供給電圧および第２の供給電圧を供給する電源装置であって、
前記第１の供給電圧が第１の電圧に達すると第１のトリガーを発し、第２のトリガーが発生するまで、前記第１の電圧より低い第２の電圧の前記第１の供給電圧を供給し、前記第２のトリガーが発生すると、前記第１の供給電圧を前記第２の電圧から前記第１の電圧に上げる第１の電源手段と、
前記第２の供給電圧が第３の電圧より低い第４の電圧に達すると前記第２のトリガーを発し、前記第１のトリガーが発生するまで、前記第４の電圧の前記第２の供給電圧を供給し、前記第１のトリガーが発生すると、前記第２の供給電圧を前記第４の電圧から前記第３の電圧に上げる第２の電源手段と
を有する電源装置。
【請求項５】
前記第１の電源手段は、前記第１の供給電圧と第１の基準電圧との差分を減少させるように前記第１の供給電圧を制御し、前記第２の電源手段が前記第２のトリガーを発するまで前記第１の基準電圧を前記第２の電圧に設定し、前記第２の電源手段が前記第２のトリガーを発すると、前記第１の基準電圧を前記第１の電圧に設定し、
前記第２の電源手段は、前記第２の供給電圧と第２の基準電圧との差分を減少させるように前記第２の供給電圧を制御し、前記第１の電源手段が前記第１のトリガーを発するまで前記基準電圧を前記第４の電圧に設定し、前記第１の電源手段が前記第１のトリガーを発すると、前記基準電圧を前記第３の電圧に設定する
請求項４に記載の電源装置。
【請求項６】
前記第１の電源手段は、電源投入指示を受けると、前記第１の供給電圧を前記第１の電圧に上げ、
前記第２の電源手段は、電源投入指示を受けると、前記第２の供給電圧を前記第４の電圧に上げる
請求項４または請求項５に記載の電源装置。
【請求項７】
相互に異なる前記第２の供給電圧を供給する複数の前記第２の電源手段
を有する
請求項１〜６のいずれかに記載の電源装置。
【請求項８】
第１の供給電圧を供給する第１の電源手段と第２の供給電圧を供給する第２の電源手段とを用いた電源制御方法であって、
前記第１の電源手段が、前記第１の供給電圧を第１の電圧に向けて立ち上げる第１の工程と、
前記第１の工程で立ち上げられた前記第１の供給電圧が前記第１の電圧に達したか否かを検出する第２の工程と、
前記第２の工程で前記第１の供給電圧が前記第１の電圧に達したことをが検出されるまで、前記第２の電源手段が、第２の電圧より低い第３の電圧の前記第２の供給電圧を供給する第３の工程と、
前記第１の工程で前記第１の供給電圧が前記第１の電圧に達したことをが検出されると、前記第２の電源手段が、前記第２の供給電圧を前記第３の電圧から前記第２の電圧に立ち上げる第４の工程と
を有する電源制御方法。
【請求項９】
第１の供給電圧を供給する第１の電源手段と第２の供給電圧を供給する第２の電源手段とを用いた電源制御方法であって、
前記第１の電源手段が、前記第１の供給電圧を第１の電圧より低い第２の電圧に立ち上げる第１の工程と、
前記第２の電源手段が、前記第２の供給電圧を第３の電圧より低い第４の電圧に立ち上げる第２の工程と、
前記第２の工程で立ち上げられた前記第２の供給電圧が前記第４の電圧に達したか否かを検出する第３の工程と、
前記第３の工程で前記第２の供給電圧が前記第４の電圧に達したことをが検出されるまで、前記第１の電圧手段が、前記第２の電圧の前記第１の供給電圧を保持する第４の工程と、
前記第３の工程で前記第２の供給電圧が前記第４の電圧に達したことをが検出されると、前記第１の電源手段が、前記第１の供給電圧を前記第２の電圧から前記第１の電圧に向けて立ち上げる第５の工程と、
前記第５の工程で立ち上げられた前記第１の供給電圧が前記第１の電圧に達したか否かを検出する第６の工程と、
前記第６の工程で前記第１の供給電圧が前記第１電圧に達したことをが検出されると、前記第２の電源手段が、前記第２の供給電圧を前記第４の電圧から前記第３の電圧に向けて立ち上げる第７の工程と
を有する電源制御方法。
【発明の詳細な説明】
【０００１】
【発明の属する技術分野】
本発明は、複数の異なる供給電圧を供給する電源装置および電源制御方法に関する。
【０００２】
【従来の技術】
近年、新しいデバイスが低電圧化し、低電圧で動作するデバイスと、従来の高電圧で動作するデバイスとが一つの基板上に混在する場合が多くなっている。
また、異電圧間の信号の送受信を可能にする目的で、一つのチップに異なる電圧を供給する複数の電源を備えている場合もある。
このようなチップの場合、各々の電源が供給する電圧の立ち上がり時間に、制約を設けている場合が多い。
例えば、図５に示すように、電源１０１から負荷１０３に電圧Ｖ１０１を供給し、電源１０２から負荷１０４に電圧Ｖ１０２を供給する場合を考える。
ここで、例えば、負荷１０３はＣＰＵであり、負荷１０４はキャッシュメモリである。
この場合に、図６に示すように、先ず、電源１０１が立ち上がり、その後、タイミングｔ１で、電圧Ｖ１０１が電圧ＶＡ（例えば５Ｖ）に達すると、電源１０１がトリガー信号ＴＲＧをローレベル（Ｌ）からハイレベル（Ｈ）に立ち上げる。
電源１０２は、トリガー信号ＴＲＧのハイレベルへの立ち上がりを基に、タイミングｔ２で電圧Ｖ１０２の立ち上げを開始し、電圧Ｖ１０２がタイミングｔ３で電圧ＶＢ（例えば３．３Ｖ）に達する。
ところで、上述したように、負荷１０３がＣＰＵであり、負荷１０４がキャッシュメモリである場合に、電圧電圧Ｖ１０１が電圧ＶＡに達してＣＰＵが起動した後に、ＣＰＵがキャッシュメモリにアクセスする場合に、ＣＰＵがキャッシュメモリが起動するまでのタイミング、すなわち、電源電圧Ｖ１０２が電圧ＶＢに達するタイミングを正確に知る必要がある。
【０００３】
【発明が解決しようとする課題】
しかしながら、電源が供給する電圧の立ち上がり時間は、その負荷に依存する。
例えば、図５および図６に示す例では、負荷１０４の特性により、電圧Ｖ１０２が立ち上がりを開始してから、電圧Ｖ１０２が電圧ＶＢに達するまでの時間（ｔ３−ｔ２）は変動する。
従って、電圧Ｖ１０１が電圧ＶＡに達してから電圧Ｖ１０２が電圧ＶＢに達するまでの時間Ｔを正確に予測できないという問題がある。
【０００４】
本発明はかかる事情に鑑みてなされたものであり、その目的は、異なる複数の供給電圧を供給する場合に、一つの供給電圧が所望の電圧に達してから、他の供給電圧が所望の電圧に達するまでの時間を高精度に制御および予測できる電源装置および電源制御方法を提供することにある。
【０００５】
【課題を解決するための手段】
上述した目的を達成するために、第１の発明の電源装置は、第１の供給電圧および第２の供給電圧を供給する電源装置であって、前記第１の供給電圧が第１の電圧に達すると、トリガーを発する第１の電源手段と、前記第１の電源手段が前記トリガーを発するまで第２の電圧より低い第３の電圧の前記第２の供給電圧を供給し、前記第１の電源手段が前記トリガーを発すると、前記第２の供給電圧を前記第３の電圧から前記第２の電圧に上げる第２の電源手段とを有する。
【０００６】
第１の発明の電源装置は、好ましくは、前記第２の電源手段は、前記第２の供給電圧と基準電圧との差分を減少させるように前記第２の供給電圧を制御し、前記第１の電源手段が前記トリガーを発するまで前記基準電圧を前記第３の電圧に設定し、前記第１の電源手段が前記トリガーを発すると、前記基準電圧を前記第２の電圧に設定する。
第１の発明の電源装置は、好ましくは、前記第１の電源手段は、電源投入指示を受けると、前記第１の供給電圧を前記第１の電圧に上げ、前記第２の電源手段は、電源投入指示を受けると、前記第２の供給電圧を前記第３の電圧に上げる。
【０００７】
第２の発明の電源装置は、第１の供給電圧および第２の供給電圧を供給する電源装置であって、前記第１の供給電圧が第１の電圧に達すると第１のトリガーを発し、第２のトリガーが発生するまで、前記第１の電圧より低い第２の電圧の前記第１の供給電圧を供給し、前記第２のトリガーが発生すると、前記第１の供給電圧を前記第２の電圧から前記第１の電圧に上げる第１の電源手段と、前記第２の供給電圧が第３の電圧より低い第４の電圧に達すると前記第２のトリガーを発し、前記第１のトリガーが発生するまで、前記第４の電圧の前記第２の供給電圧を供給し、前記第１のトリガーが発生すると、前記第２の供給電圧を前記第４の電圧から前記第３の電圧に上げる第２の電源手段とを有する。
【０００８】
第２の発明の電源装置は、好ましくは、前記第１の電源手段は、前記第１の供給電圧と第１の基準電圧との差分を減少させるように前記第１の供給電圧を制御し、前記第２の電源手段が前記第２のトリガーを発するまで前記第１の基準電圧を前記第２の電圧に設定し、前記第２の電源手段が前記第２のトリガーを発すると、前記第１の基準電圧を前記第１の電圧に設定し、前記第２の電源手段は、前記第２の供給電圧と第２の基準電圧との差分を減少させるように前記第２の供給電圧を制御し、前記第１の電源手段が前記第１のトリガーを発するまで前記基準電圧を前記第４の電圧に設定し、前記第１の電源手段が前記第１のトリガーを発すると、前記基準電圧を前記第３の電圧に設定する。
第２の発明の電源装置は、好ましくは、前記第１の電源手段は、電源投入指示を受けると、前記第１の供給電圧を前記第１の電圧に上げ、前記第２の電源手段は、電源投入指示を受けると、前記第２の供給電圧を前記第４の電圧に上げる。
【０００９】
第１および第２の発明の電源装置は、好ましくは、相互に異なる前記第２の供給電圧を供給する複数の前記第２の電源手段を有する。
【００１０】
第３の発明の電源制御方法は、第１の供給電圧を供給する第１の電源手段と第２の供給電圧を供給する第２の電源手段とを用いた電源制御方法であって、前記第１の電源手段が、前記第１の供給電圧を第１の電圧に向けて立ち上げる第１の工程と、前記第１の工程で立ち上げられた前記第１の供給電圧が前記第１の電圧に達したか否かを検出する第２の工程と、前記第２の工程で前記第１の供給電圧が前記第１の電圧に達したことをが検出されるまで、前記第２の電源手段が、第２の電圧より低い第３の電圧の前記第２の供給電圧を供給する第３の工程と、前記第１の工程で前記第１の供給電圧が前記第１の電圧に達したことをが検出されると、前記第２の電源手段が、前記第２の供給電圧を前記第３の電圧から前記第２の電圧に立ち上げる第４の工程とを有する。
【００１１】
第４の発明の電源制御方法は、第１の供給電圧を供給する第１の電源手段と第２の供給電圧を供給する第２の電源手段とを用いた電源制御方法であって、前記第１の電源手段が、前記第１の供給電圧を第１の電圧より低い第２の電圧に立ち上げる第１の工程と、前記第２の電源手段が、前記第２の供給電圧を第３の電圧より低い第４の電圧に立ち上げる第２の工程と、前記第２の工程で立ち上げられた前記第２の供給電圧が前記第４の電圧に達したか否かを検出する第３の工程と、前記第３の工程で前記第２の供給電圧が前記第４の電圧に達したことをが検出されるまで、前記第１の電圧手段が、前記第２の電圧の前記第１の供給電圧を保持する第４の工程と、前記第３の工程で前記第２の供給電圧が前記第４の電圧に達したことをが検出されると、前記第１の電源手段が、前記第１の供給電圧を前記第２の電圧から前記第１の電圧に向けて立ち上げる第５の工程と、前記第５の工程で立ち上げられた前記第１の供給電圧が前記第１の電圧に達したか否かを検出する第６の工程と、前記第６の工程で前記第１の供給電圧が前記第１電圧に達したことをが検出されると、前記第２の電源手段が、前記第２の供給電圧を前記第４の電圧から前記第３の電圧に向けて立ち上げる第７の工程とを有する。
【００１２】
【発明の実施の形態】
以下、本発明の実施形態に係わる電源装置について説明する。
〔第１実施形態〕
当該実施形態は、第１の発明および第３の発明に対応した実施形態である。
図１は本発明の第１実施形態に係わる電源装置１の構成図、図２は図１に示す電源装置１の供給電圧Ｖ２，トリガー信号ＴＲＧ１，供給電圧Ｖ３の波形図である。
図１に示すように、電源装置１は、例えば、電源部２、電源部３および元電源部４を有する。
ここで、電源部２が本発明の第１の電源手段に対応し、電源部３が本発明の第２の電源手段に対応している。
電源部２は、負荷５に対して供給電圧Ｖ２を供給する。
負荷５は、例えば、ＣＰＵである。
電源部３は、負荷６に対して、供給電圧Ｖ２とは異なる供給電圧Ｖ３を供給する。
負荷６は、例えば、キャッシュメモリである。
元電源部４は、電源部２および電源部３に対して電圧Ｖ４を供給する。
【００１３】
電源装置１は、電源投入指示を受けると、電圧制御部１１が供給電圧Ｖ２を電圧ＶＡ１（第１の電圧、例えば、５Ｖ）に立ち上げると共に、電圧制御部２４が供給電圧Ｖ３を基準電圧ＶＢ１（第２の電圧、例えば、３．３Ｖ）より低い基準電圧ＶＢ＿ＳＴＢ（第３の電圧、例えば、２．８Ｖ）に立ち上げる。
そして、供給電圧Ｖ２が電圧ＶＡ１に達すると、トリガー信号ＴＲＧ１が発生し、電圧制御部２４が供給電圧Ｖ３を、基準電圧ＶＢ＿ＳＴＢから基準電圧ＶＢ１に立ち上げる。
【００１４】
以下、図１に示す電源装置１の各構成要素について説明する。
〔電源部２〕
電源部２は、例えば、電圧制御部１１およびトリガー発生部１２を有する。
電圧制御部１１は、例えば、電源投入指示を受けると、元電源部４からの電圧Ｖ４を基に、図２（Ａ）に示すように、負荷５に供給する供給電圧Ｖ２を、０から電圧ＶＡ１に立ち上げる。
トリガー発生部１２は、電圧制御部１１が負荷５に供給する供給電圧Ｖ２を監視し、図２（Ｂ）に示すように、供給電圧Ｖ２が電圧ＶＡ１に達すると、トリガー信号ＴＲＧ１をローレベル（Ｌ）からハイレベル（Ｈ）に立ち上げる。
トリガー信号ＴＲＧ１は、デジタルおよびアナログの何れであってもよい。
トリガー発生部１２は、例えば、負荷５が動作を介したタイミングで、供給電圧Ｖ２が電圧ＶＡ１に達したと判断する。
【００１５】
〔電源部３〕
電源部３は、例えば、可変電圧部２１、出力検出部２２、比較部２３および電圧制御部２４を有する。
可変電圧部２１は、トリガー発生部１２からのトリガー信号ＴＲＧ１がローレベルの場合には基準電圧ＶＢ＿ＳＴＢを比較部２３に出力し、トリガー信号ＴＲＧ１がハイレベルの場合には基準電圧ＶＢを比較部２３に出力する。
ここで、基準電圧ＶＢ＿ＳＴＢは、基準電圧ＶＢ１より低い電圧である。
【００１６】
出力検出部２２は、電圧制御部２４が負荷６に供給する供給電圧Ｖ３を検出し、これを比較部２３に出力する。
【００１７】
比較部２３は、出力検出部２２が検出した電圧Ｖ３と、可変電圧部２１からの基準電圧とを比較し、その差分電圧ＤＩＦを電圧制御部２４に出力する。
【００１８】
電圧制御部２４は、電源投入指示を受けると、差分電圧ＤＩＦを小さくするように、元電源部４からの電圧Ｖ４（例えば、６Ｖ）を基に負荷６に供給する供給電圧Ｖ３を生成し、これを負荷６に供給する。
【００１９】
以下、図１に電源装置１の動作例を説明する。
初期状態として、トリガー信号ＴＲＧ１がローレベルになっており、可変電圧部２１は、基準電圧ＶＢ＿ＳＴＢを比較部２３に出力している。
例えば、図２に示すタイミングｔ１１で電源投入指示が発生すると、図２（Ａ），（Ｃ）に示すように、電圧制御部１１が供給電圧Ｖ２を立ち上げると共に、電圧制御部２４が供給電圧Ｖ３を立ち上げる。
そして、例えば、タイミングｔ１２で、電圧制御部２４が供給する供給電圧Ｖ３が基準電圧ＶＢ＿ＳＴＢに達し、差分電圧ＤＩＦが０になり、供給電圧Ｖ３が基準電圧ＶＢ＿ＳＴＢに保持される。
【００２０】
その後、電圧制御部１１が供給する供給電圧Ｖ２が電圧ＶＡ１に達すると、図２（Ｂ）に示すように、トリガー発生部１２がトリガー信号ＴＲＧ１をローレベルからハイレベルに立ち上げる。
可変電圧部２１が、当該トリガー信号ＴＲＧ１の立ち上がりを基に、比較部２３に出力する基準電圧を基準電圧ＶＢ＿ＳＴＢから基準電圧ＶＢ１に切り換える。
そして、図２（Ｃ）に示すように、電圧制御部２４が、差分電圧ＤＩＦを基に、供給電圧Ｖ３を基準電圧ＶＢ＿ＳＴＢから基準電圧ＶＢ１に立ち上げる。
これにより、タイミングｔ１４で、供給電圧Ｖ３が基準電圧ＶＢ１に達する。
【００２１】
以上説明したように、電源装置１では、電源投入指示を受けると、電圧制御部１１が供給電圧Ｖ２を電圧ＶＡ１に立ち上げると共に、電圧制御部２４が供給電圧Ｖ３を基準電圧ＶＢ１より低い基準電圧ＶＢ＿ＳＴＢに立ち上げる。そして、供給電圧Ｖ２が電圧ＶＡ１に達すると、トリガー信号ＴＲＧ１が発生し、電圧制御部２４が供給電圧Ｖ３を、基準電圧ＶＢ＿ＳＴＢから基準電圧ＶＢ１に立ち上げる。
そのため、図６に示した従来の電源装置のように、電圧Ｖ１０１が電圧ＶＡに達した後に、電圧Ｖ１０２の立ち上げを開始する場合に比べて、供給電圧Ｖ２が電圧ＶＡ１に達してから供給電圧３が基準電圧ＶＢ１に達するまでの時間Ｔ１を高精度に予測かつ制御できる。すなわち、負荷６による影響を受ける時間が従来に比べて短くなり、その分、予測および制御の精度が向上する。
これにより、例えば、負荷５がＣＰＵであり、負荷６がキャッシュメモリである場合に、電圧Ｖ２が基準電圧ＶＡ１に達してＣＰＵが起動してから、電圧Ｖ３が基準電圧ＶＢ１に達してキャッシュメモリが起動するまでの時間を正確に特定でき、ＣＰＵがキャッシュメモリにアクセス可能なタイミングを正確に特定できる。
【００２２】
〔第２実施形態〕
当該実施形態は、第２の発明および第４の発明に対応している。
図３は本発明の第１実施形態に係わる電源装置４１の構成図、図４は図３に示す電源装置４１の供給電圧Ｖ４２，トリガー信号ＴＲＧ１，供給電圧Ｖ４３，トリガー信号ＴＲＧ２の波形図である。
図３に示すように、電源装置４１は、例えば、電源部４２、電源部４３および元電源部４を有する。
ここで、電源部４２が本発明の第１の電源手段に対応し、電源部４３が本発明の第２の電源手段に対応している。
図３に示す構成要素のうち、図１と同じ符号を付した構成要素は、第１実施形態で説明したものと同じである。
電源部４２は、負荷５に対して供給電圧Ｖ４２を供給する。
電源部４３は、負荷６に対して、供給電圧Ｖ４２とは異なる供給電圧Ｖ４３を供給する。
元電源部４は、電源部４２および電源部４３に対して電圧Ｖ４を供給する。
【００２３】
電源装置４１は、電源投入指示を受けると、電圧制御部２４が供給電圧Ｖ４３を基準電圧ＶＢ１（第３の電圧、例えば、３．３Ｖ）より低い基準電圧ＶＢ＿ＳＴＢ（第４の電圧，例えば、２．８Ｖ）に立ち上げる。
供給電圧４３が基準電圧ＶＢ＿ＳＴＢに達すると、トリガー信号ＴＲＧ２を発生する。
また、上記電源投入指示により、電圧制御部５４が供給電圧Ｖ４２を基準電圧ＶＡ１（第１の電圧、例えば５Ｖ）より低い基準電圧ＶＡ＿ＳＴＢ（第２の電圧、例えば、４．５Ｖ）に立ち上げる。
そして、電圧制御部５４が、トリガー信号ＴＲＧ２を基に、供給電圧Ｖ４２を基準電圧ＶＡ＿ＳＴＢから基準電圧ＶＡ１に立ち上げ、トリガー信号ＴＲＧ１を発生する。
そして、電圧制御部２４が、トリガー信号ＴＲＧ１を基に、供給電圧Ｖ４３を基準電圧ＶＢ＿ＳＴＢから基準電圧ＶＢ１に立ち上る。
【００２４】
以下、図３１に示す電源装置４１の各構成要素について説明する。
〔電源部４２〕
電源部４２は、例えば、可変電圧部５１、出力検出部５２、比較部５３、電圧制御部５４およびトリガー発生部１２を有する。
可変電圧部５１は、トリガー発生部４５からのトリガー信号ＴＲＧ２がローレベルの場合には基準電圧ＶＡ＿ＳＴＢを比較部５３に出力し、トリガー信号ＴＲＧ２がハイレベルの場合には基準電圧ＶＡ１を比較部２３に出力する。
ここで、基準電圧ＶＡ＿ＳＴＢは、基準電圧ＶＡ１より低い電圧である。
【００２５】
出力検出部５２は、電圧制御部５４が負荷５に供給する供給電圧Ｖ４２を検出し、これを比較部５３に出力する。
【００２６】
比較部５３は、出力検出部５２が検出した電圧Ｖ４２と、可変電圧部５１からの基準電圧とを比較し、その差分電圧ＤＩＦ１を電圧制御部５４に出力する。
【００２７】
電圧制御部５４は、電源投入指示を受けると、図４（Ａ）に示すように供給電圧Ｖ４２を立ち上げ、差分電圧ＤＩＦ１を小さくするように、元電源部４からの電圧Ｖ４を基に負荷５に供給する供給電圧Ｖ４２を生成し、これを負荷５に供給する。
【００２８】
トリガー発生部１２は、電圧制御部５４が負荷５に供給する供給電圧Ｖ４２を監視し、供給電圧Ｖ４２が基準電圧ＶＡ１に達すると、図４（Ｂ）に示すように、トリガー信号ＴＲＧ１をローレベル（Ｌ）からハイレベル（Ｈ）に立ち上げる。
【００２９】
〔電源部４３〕
電源部４３は、例えば、可変電圧部２１、出力検出部２２、比較部２３、電圧制御部２４およびトリガー発生部４５を有する。
可変電圧部２１は、トリガー発生部１２からのトリガー信号ＴＲＧ１がローレベルの場合には基準電圧ＶＢ＿ＳＴＢを比較部２３に出力し、トリガー信号ＴＲＧがハイレベルの場合には基準電圧ＶＢ１を比較部２３に出力する。
ここで、基準電圧ＶＢ＿ＳＴＢは、基準電圧ＶＢ１より低い電圧である。
【００３０】
出力検出部２２は、電圧制御部２４が負荷６に供給する供給電圧Ｖ４３を検出し、これを比較部２３に出力する。
【００３１】
比較部２３は、出力検出部２２が検出した電圧Ｖ４３と、可変電圧部２１からの基準電圧とを比較し、その差分電圧ＤＩＦ２を電圧制御部２４に出力する。
【００３２】
電圧制御部２４は、電源投入指示を受けると、供給電圧Ｖ４３を立ち上げ、差分電圧ＤＩＦ２を小さくするように、元電源部４からの電圧Ｖ４を基に負荷６に供給する供給電圧Ｖ４３を生成し、これを負荷６に供給する。
【００３３】
以下、図３に電源装置４１の動作例を説明する。
初期状態として、トリガー信号ＴＲＧ１，２がローレベルになっており、可変電圧部２１は基準電圧ＶＢ＿ＳＴＢを比較部２３に出力し、可変電圧部５１は基準電圧ＶＡ＿ＳＴＢを比較部５３に出力している。
例えば、図４に示すタイミングｔ２１で電源投入指示が発生すると、図２（Ａ），（Ｃ）に示すように、電圧制御部５４が供給電圧Ｖ４２を立ち上げると共に、電圧制御部２４が供給電圧Ｖ４３を立ち上げる。
そして、例えば、タイミングｔ２２で、電圧制御部２４が供給する供給電圧Ｖ４３が基準電圧ＶＢ＿ＳＴＢに達し、差分電圧ＤＩＦ２が０になり、供給電圧Ｖ４３が基準電圧ＶＢ＿ＳＴＢに保持される。
また、このとき、図４（Ｄ）に示すように、トリガー発生部４５がトリガー信号ＴＲＧ２をローレベルからハイレベルに立ち上げる。
【００３４】
そして、可変電圧部５１が、当該トリガー信号ＴＲＧ２の立ち上がりを基に、比較部５３に出力する基準電圧を基準電圧ＶＡ＿ＳＴＢから基準電圧ＶＡ１に切り換える。
そして、図４（Ａ）に示すように、電圧制御部５４が、差分電圧ＤＩＦ１を基に、供給電圧Ｖ４２を基準電圧ＶＡ＿ＳＴＢから基準電圧ＶＡ１に立ち上げる。これにより、タイミングｔ２３で、供給電圧Ｖ４２が基準電圧ＶＡ１に達する。
【００３５】
供給電圧Ｖ４２が基準電圧ＶＡ１に達すると、トリガー発生部１２が、トリガー信号ＴＲＧ１をローレベルからハイレベルに立ち上げる。
【００３６】
そして、可変電圧部２１が、当該トリガー信号ＴＲＧ１の立ち上がりを基に、比較部２３に出力する基準電圧を基準電圧ＶＢ＿ＳＴＢから基準電圧ＶＢ１に切り換える。
そして、図４（Ｃ）に示すように、電圧制御部２４が、差分電圧ＤＩＦ２を基に、供給電圧Ｖ４３を基準電圧ＶＢ＿ＳＴＢから基準電圧ＶＢ１に立ち上げる。これにより、タイミングｔ２４で、供給電圧Ｖ４３が基準電圧ＶＢ１に達する。
【００３７】
以上説明したように、電源装置４１では、電源投入指示を受けると、電圧制御部５４が供給電圧Ｖ４２を基準電圧ＶＡ１より低い基準電圧ＶＡ＿ＳＴＢに立ち上げると共に、電圧制御部２４が供給電圧Ｖ４３を基準電圧ＶＢ１より低い基準電圧ＶＢ＿ＳＴＢに立ち上げる。
そして、供給電圧Ｖ４３が基準電圧ＶＢ＿ＳＴＢに達した後に、電圧制御部５４が、供給電圧Ｖ４２を基準電圧ＶＡ＿ＳＴＢから基準電圧ＶＡ１に立ち上げる。
そのため、電源装置４１によれば、供給電圧Ｖ４３が基準電圧ＶＢ＿ＳＴＢに達する前に、供給電圧Ｖ４２が基準電圧ＶＡ１に達してしまうことを回避でき、前述した第１実施形態の電源装置１よりも、供給電圧Ｖ４２が基準電圧ＶＡ１に達してから供給電圧Ｖ４３が基準電圧ＶＢ１に達するまでの時間Ｔ３をより安定して高精度に予測かつ制御できる。
【００３８】
上述した実施形態の電源装置１，４１では、デバイス変更に伴い、供給電圧が変わった場合でも基準電圧を変更することで対応できる。
本発明は上述した実施形態には限定されない。
例えば、デバイス変更に伴い、トリガー信号をアナログ的なものにしておき、その値を変更することで、電源部３、電源部４２および電源部４３の供給電圧を変更できる。
また、負荷５あるいは負荷６が誘導負荷の場合の電源のオーバーシュート対策としても本発明を適用可能である。
誘導負荷の場合、供給電圧を急激に上げると、オーバーシュートなどの問題が生じるが、電源装置１，４２では、可変電圧部の基準電圧を段階的に上げることで、このような問題を解消できる。
【００３９】
【発明の効果】
本発明によれば、異なる複数の供給電圧を供給する場合に、一つの供給電圧が所望の電圧に達してから、他の供給電圧が所望の電圧に達するまでの時間を高精度に制御および予測できる電源装置および電源制御方法を提供できる。
【図面の簡単な説明】
【図１】図１は、本発明の第１実施形態に係わる電源装置の構成図である。
【図２】図２は、図１に示す電源装置の供給電圧Ｖ２，トリガー信号ＴＲＧ１，供給電圧Ｖ３の波形図である。
【図３】図３は、本発明の第２実施形態に係わる電源装置の構成図である。
【図４】図４は、図３に示す電源装置の供給電圧Ｖ４２，トリガー信号ＴＲＧ１，供給電圧Ｖ４３，トリガー信号ＴＲＧ２の波形図である。
【図５】図５は、従来の電源装置を説明するための図である。
【図６】図６は、従来の電源装置を説明するための図である。
【符号の説明】
１…電源装置、２…電源部、３…電源部、４…元電源部、１１…電圧制御部、１２…トリガー発生部、２１…可変電圧部、２２…出力検出部、２３…比較部、２４…電圧制御部、４２…電源部、４３…電源部、４５…トリガー発生部、５１…可変電圧部、５２…出力検出部、５３…比較部、５４…電圧制御部
【図１】
2004246441.tif 000003
【図２】
2004246441.tif 000004
【図３】
2004246441.tif 000005
【図４】
2004246441.tif 000006
【図５】
2004246441.tif 000007
【図６】
2004246441.tif 000008